(57)【要約】【課題】本発明はシャッター用保険ロックを開示した。【解決手段】本発明はシャッター用保険ロックを公示し、壁体を含み、前記壁体の中には前後に貫通した通路が設置され、前記通路の左右両側の内壁の中には保険装置が設置され、前記保険装置は貫通溝を含み、前記貫通溝は前記通路の左右両側の内壁の中に対称的に設置され、前記貫通溝のうち対称中心に近接した側の内壁には固定ブロックが固定的に連結され、本発明はシンプルな構成と簡単な操作方法を有し、自動的にシャッターが巻き上がるときの速度を制限でき、人力で押さえる必要がなく、安全を保証でき、同時にシャッターが下がる時に、下がり速度に響かず、素早く通路を閉鎖できる。【選択図】図１
2020183688.tif 000002
【特許請求の範囲】
【請求項１】
正面視で、壁体を含み、前記壁体の中には前後に貫通した通路が設置され、前記通路の左右両側の内壁の中には保険装置が設置され、前記保険装置は貫通溝を含み、前記貫通溝は前記通路の左右両側の内壁の中に対称的に設置され、前記貫通溝のうち対称中心に近接した側の内壁には固定ブロックが固定的に連結され、前記固定ブロックの中には対称中心に背向けて開口した回転チャンバが設置され、前記回転チャンバの上下内壁の間には連結軸が回転するように連結され、前記回転チャンバの中には回転子が回転可能に設置され、前記回転子は前記連結軸に固定的に連結され、前記回転子の周面には環状に配置された四本の揺動棒が固定的に連結され、前記貫通溝のうち対称中心から離れた側の内壁の中には連通チャンバが連通するように設置され、前記連通チャンバの中には回転盤が回転可能に設置され、前記回転盤の上端には環状に配置された四つの接触ブロックが固定的に連結され、前記揺動棒は前記連通チャンバの中に回転でき、且つ前記接触ブロックと当接でき、前記回転盤の中には縦軸が固定的に連結され、前記連通チャンバの上側内壁の中には伝動チャンバが設置され、前記伝動チャンバの中にはウォームホイールが回転可能に設置され、前記縦軸の上端は前記伝動チャンバの中に伸びており、且つ前記ウォームホイールに固定的に連結され、前記ウォームホイールの前側にはウォームが回転可能に設置され、前記ウォームホイールと前記ウォームとは噛み合うように連結され、左右両側の前記ウォームの間には長軸が固定的に連結され、前記貫通溝の上下両側の内壁の中にはヒンジ連結チャンバが対称的に、且つ連通するように設置され、前記ヒンジ連結チャンバは前記通路に連通しており、前記連結軸の上下両端はそれぞれ上下両側の前記ヒンジ連結チャンバの中に入り、且つ前記連結軸の上下両端には転動盤が固定的に連結され、上下両側の前記転動盤のうち対称中心から離れた端の非回転中心のところにはスライドブロックがヒンジで連結され、前記スライドブロックは前記ヒンジ連結チャンバの中にスライドでき、前記スライドブロックの中には下方に開口した連結溝が設置され、前記連結溝の開口は前記通路に向いており、前記連結溝の前後内壁の間には復位回転軸が回転できるように連結され、前記復位回転軸の周面には妨害ブロックが固定的に連結されることを特徴とするシャッター用保険ロック。
【請求項２】
前記通路の中には前記長軸の周面に固定的に連結された巻き棒が回転可能に設置され、前記巻き棒の左右両端と前記通路の左右両側の内壁との間には巻き付けトーションバネが固定的に連結され、前記巻き付けトーションバネの弾力によって前記巻き棒は回転連動され、前記巻き棒にはシャッターが巻き付いており、前記シャッターの左右両端にはそれぞれ突出ブロックが一列固定的に連結され、前記通路の左右両側の内壁にはそれぞれガイド板が二つ固定的に連結され、前後二つの前記ガイド板の間にはガイド溝が形成されることを特徴とする請求項１に記載のシャッター用保険ロック。
【請求項３】
前記回転子の下端と前記回転チャンバの下側内壁との間には回転トーションバネが固定的に連結されていることを特徴とする請求項２に記載のシャッター用保険ロック。
【請求項４】
前記妨害ブロックの前後両端と前記連結溝の前後両側の内壁との間には復位トーションバネが固定的に連結され、前記妨害ブロックの上端は前記連結溝の上側端面に当接していることを特徴とする請求項３に記載のシャッター用保険ロック。
【請求項５】
前記シャッターの前端にはハンドルが固定的に連結され、前記シャッターの中には下方に開口した内部チャンバが設置され、前記内部チャンバの後側内壁にはシリンダーが回転できるように連結され、前記シリンダーの周面にはフックが固定的に連結され、前記フックの中には右方に開口したロック溝が設置され、前記内部チャンバの前側内壁の中には前方に開口した錠孔が連通するように設置され、前記通路の下側内壁の中には凹溝が連通するように設置され、前記凹溝の前後内壁の間には固定棒が固定的に連結されていることを特徴とする請求項４に記載のシャッター用保険ロック。
【発明の詳細な説明】
【技術分野】
【０００１】
本発明はロック分野を取り上げ、具体的にはシャッター用保険ロックである。
【背景技術】
【０００２】
倉庫は基本的にシャッターを採用し、解錠するとシャッターは自動的に巻き上がる。しかし、シャッターの巻き上げ速度が速すぎると、アクシデントが発生する恐れがある。そうならないように、誰かがシャッターを押さえて巻き上がり  速度を下げる必要がある。無論、それでは、シャッターを押さえる人にとって危険であり、そして現在、自動的にシャッターの巻き上がり速度を制御できる装置はまだ存在しないのである。よって、安全で自動的にシャッターの巻き上がり速度を制御できるシャッター用保険ロックは必要である。本装置は自動的にシャッターが巻き上がるときの速度を抑さえ、人力で押さえる必要がなく、安全性を向上させる。
【先行技術文献】
【特許文献】
【０００３】
【特許文献１】中国特許出願公開第１０４６５２９９９号明細書
【発明の概要】
【発明が解決しようとする課題】
【０００４】
本発明はシャッター用保険ロックを提供し、既存技術にある上記の欠点を解消することを目的とする。
【課題を解決するための手段】
【０００５】
本発明は以下の技術プランを通じて実現する：本発明のシャッター用保険ロックは、壁体を含み、前記壁体の中には前後に貫通した通路が設置され、前記通路の左右両側の内壁の中には保険装置が設置され、前記保険装置は貫通溝を含み、前記貫通溝は前記通路の左右両側の内壁の中に対称的に設置され、前記貫通溝のうち対称中心に近接した側の内壁には固定ブロックが固定的に連結され、前記固定ブロックの中には対称中心に背向けて開口した回転チャンバが設置され、前記回転チャンバの上下内壁の間には連結軸が回転するように連結され、前記回転チャンバの中には回転子が回転可能に設置され、前記回転子は前記連結軸に固定的に連結され、前記回転子の周面には環状に配置された四本の揺動棒が固定的に連結され、前記貫通溝のうち対称中心から離れた側の内壁の中には連通チャンバが連通するように設置され、前記連通チャンバの中には回転盤が回転可能に設置され、前記回転盤の上端には環状に配置された四つの接触ブロックが固定的に連結され、前記揺動棒は前記連通チャンバの中に回転でき、且つ前記接触ブロックと当接でき、前記回転盤の中には縦軸が固定的に連結され、前記連通チャンバの上側内壁の中には伝動チャンバが設置され、前記伝動チャンバの中にはウォームホイールが回転可能に設置され、前記縦軸の上端は前記伝動チャンバの中に伸びており、且つ前記ウォームホイールに固定的に連結され、前記ウォームホイールの前側にはウォームが回転可能に設置され、前記ウォームホイールと前記ウォームとは噛み合うように連結され、左右両側の前記ウォームの間には長軸が固定的に連結され、前記貫通溝の上下両側の内壁の中にはヒンジ連結チャンバが対称的に、且つ連通するように設置され、前記ヒンジ連結チャンバは前記通路に連通しており、前記連結軸の上下両端はそれぞれ上下両側の前記ヒンジ連結チャンバの中に入り、且つ前記連結軸の上下両端には転動盤が固定的に連結され、上下両側の前記転動盤のうち対称中心から離れた端の非回転中心のところにはスライドブロックがヒンジで連結され、前記スライドブロックは前記ヒンジ連結チャンバの中にスライドでき、前記スライドブロックの中には下方に開口した連結溝が設置され、前記連結溝の開口は前記通路に向いており、前記連結溝の前後内壁の間には復位回転軸が回転できるように連結され、前記復位回転軸の周面には妨害ブロックが固定的に連結される。
【０００６】
さらなる技術プランとして、前記通路の中には前記長軸の周面に固定的に連結された巻き棒が回転可能に設置され、前記巻き棒の左右両端と前記通路の左右両側の内壁との間には巻き付けトーションバネが固定的に連結され、前記巻き付けトーションバネの弾力によって前記巻き棒は回転連動され、前記巻き棒にはシャッターが巻き付いており、前記シャッターの左右両端にはそれぞれ突出ブロックが一列固定的に連結され、前記通路の左右両側の内壁にはそれぞれガイド板が二つ固定的に連結され、前後二つの前記ガイド板の間にはガイド溝が形成され、前記突出ブロックは前記ガイド溝の中に位置しており、前記シャッターの揺れを防止でき、前記妨害ブロックは近接する二つの前記突出ブロックの間に位置しており、それにより、前記シャッターの巻き上がりを停止させることができる。
【０００７】
さらなる技術プランとして、前記回転子の下端と前記回転チャンバの下側内壁との間には回転トーションバネが固定的に連結され、前記回転トーションバネの弾力によって前記回転子は回転連動され、それにより、前記揺動棒の回転を連動させることができる。
【０００８】
さらなる技術プランとして、前記妨害ブロックの前後両端と前記連結溝の前後両側の内壁との間には復位トーションバネが固定的に連結され、前記復位トーションバネは前記妨害ブロックに水平状態を維持させることができ、前記妨害ブロックの上端は前記連結溝の上側端面に当接しており、前記シャッターが巻き上がる時に、前記妨害ブロックは近接する二つの突出ブロックの間に伸びられ、前記シャッターの巻き上がりを止めることができ、前記妨害ブロックの上端と前記連結溝の上側端面とが当接しているため、この時、前記妨害ブロックは回転せず、前記シャッターの巻き上がる速度を制限でき、安全性を向上させ、前記シャッターが下がる時に、前記妨害ブロックは近接する二つの前記突出ブロックの間に伸びた後、前記突出ブロックは前記妨害ブロックを押して回転させ、この時、前記シャッターの下がりは制限されないのである。
【０００９】
さらなる技術プランとして、前記シャッターの前端にはハンドルが固定的に連結され、前記シャッターの中には下方に開口した内部チャンバが設置され、前記内部チャンバの後側内壁にはシリンダーが回転できるように連結され、前記シリンダーの周面にはフックが固定的に連結され、前記フックの中には右方に開口したロック溝が設置され、前記内部チャンバの前側内壁の中には前方に開口した錠孔が連通するように設置され、前記通路の下側内壁の中には凹溝が連通するように設置され、前記凹溝の前後内壁の間には固定棒が固定的に連結され、前記シャッターを下ろした後、鍵で前記シリンダーを回し、それにより、前記フックの回転を連動させ、前記固定棒は前記ロック溝の中に入り、且つ前記フックを引っ掛けて固定し、前記シャッターが自動的に巻き上がることを防げる。
【発明の効果】
【００１０】
本発明のメリットは：本発明はシンプルな構成と簡単な操作方法を有し、自動的にシャッターが巻き上がるときの速度を制限でき、人力で押さえる必要がなく、安全を保証でき、同時にシャッターが下がる時に、下がり速度に響かず、素早く通路を閉鎖でき、便利である。
【図面の簡単な説明】
【００１１】
下記に図１〜８をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明のシャッター用保険ロックの内部構成略図
【図２】図２は図１におけるＡの拡大略図
【図３】図３は図１におけるＢ―Ｂ方向からの構成略図
【図４】図４は図１におけるＣ―Ｃ方向からの構成略図
【図５】図５は図２におけるＤ―Ｄ方向からの構成略図
【図６】図６は図２におけるＥの拡大略図
【図７】図７は図３におけるＦ―Ｆ方向からの構成略図
【図８】図８は図６におけるＧ―Ｇ方向からの構成略図
【発明を実施するための形態】
【００１３】
図１〜８を参照し、本発明のシャッター用保険ロックは、壁体１１を含み、前記壁体１１の中には前後に貫通した通路１３が設置され、前記通路１３の左右両側の内壁の中には保険装置１００が設置され、前記保険装置１００は貫通溝３９を含み、前記貫通溝３９は前記通路１３の左右両側の内壁の中に対称的に設置され、前記貫通溝３９のうち対称中心に近接した側の内壁には固定ブロック４０が固定的に連結され、前記固定ブロック４０の中には対称中心に背向けて開口した回転チャンバ２２が設置され、前記回転チャンバ２２の上下内壁の間には連結軸４３が回転するように連結され、前記回転チャンバ２２の中には回転子４２が回転可能に設置され、前記回転子４２は前記連結軸４３に固定的に連結され、前記回転子４２の周面には環状に配置された四本の揺動棒４１が固定的に連結され、前記貫通溝３９のうち対称中心から離れた側の内壁の中には連通チャンバ２７が連通するように設置され、前記連通チャンバ２７の中には回転盤２５が回転可能に設置され、前記回転盤２５の上端には環状に配置された四つの接触ブロック２６が固定的に連結され、前記揺動棒４１は前記連通チャンバ２７の中に回転でき、且つ前記接触ブロック２６と当接でき、前記回転盤２５の中には縦軸２４が固定的に連結され、前記連通チャンバ２７の上側内壁の中には伝動チャンバ２９が設置され、前記伝動チャンバ２９の中にはウォームホイール３５が回転可能に設置され、前記縦軸２４の上端は前記伝動チャンバ２９の中に伸びており、且つ前記ウォームホイール３５に固定的に連結され、前記ウォームホイール３５の前側にはウォーム２８が回転可能に設置され、前記ウォームホイール３５と前記ウォーム２８とは噛み合うように連結され、左右両側の前記ウォーム２８の間には長軸１８が固定的に連結され、前記貫通溝３９の上下両側の内壁の中にはヒンジ連結チャンバ３６が対称的に、且つ連通するように設置され、前記ヒンジ連結チャンバ３６は前記通路１３に連通しており、前記連結軸４３の上下両端はそれぞれ上下両側の前記ヒンジ連結チャンバ３６の中に入り、且つ前記連結軸４３の上下両端には転動盤３７が固定的に連結され、上下両側の前記転動盤３７のうち対称中心から離れた端の非回転中心のところにはスライドブロック３８がヒンジで連結され、前記スライドブロック３８は前記ヒンジ連結チャンバ３６の中にスライドでき、前記スライドブロック３８の中には下方に開口した連結溝４５が設置され、前記連結溝４５の開口は前記通路１３に向いており、前記連結溝４５の前後内壁の間には復位回転軸４６が回転できるように連結され、前記復位回転軸４６の周面には妨害ブロック４７が固定的に連結される。
【００１４】
好ましくは、前記通路１３の中には前記長軸１８の周面に固定的に連結された巻き棒１９が回転可能に設置され、前記巻き棒１９の左右両端と前記通路１３の左右両側の内壁との間には巻き付けトーションバネ２１が固定的に連結され、前記巻き付けトーションバネ２１の弾力によって前記巻き棒１９は回転連動され、前記巻き棒１９にはシャッター１７が巻き付いており、前記シャッター１７の左右両端にはそれぞれ突出ブロック２０が一列固定的に連結され、前記通路１３の左右両側の内壁にはそれぞれガイド板３４が二つ固定的に連結され、前後二つの前記ガイド板３４の間にはガイド溝１４が形成され、前記突出ブロック２０は前記ガイド溝１４の中に位置しており、前記シャッター１７の揺れを防止でき、前記妨害ブロック４７は近接  する二つの前記突出ブロック２０の間に位置しており、それにより、前記シャッター１７の巻き上がりを停止させることができる。  
【００１５】
好ましくは、前記回転子４２の下端と前記回転チャンバ２２の下側内壁との間には回転トーションバネ４４が固定的に連結され、前記回転トーションバネ４４の弾力によって前記回転子４２は回転連動され、それにより、前記揺動棒４１の回転を連動させることができる。
【００１６】
好ましくは、前記妨害ブロック４７の前後両端と前記連結溝４５の前後両側の内壁との間には復位トーションバネ４９が固定的に連結され、前記復位トーションバネ４９は前記妨害ブロック４７に水平状態を維持させることができ、前記妨害ブロック４７の上端は前記連結溝４５の上側端面に当接しており、前記シャッター１７が巻き上がる時に、前記妨害ブロック４７は近接する二つの突出ブロック２０の間に伸びられ、前記シャッター１７の巻き上がりを止めることができ、前記妨害ブロック４７の上端と前記連結溝４５の上側端面とが当接しているため、この時、前記妨害ブロック４７は回転せず、前記シャッター１７の巻き上がる速度を制限でき、安全性を向上させ、前記シャッター１７が下がる時に、前記妨害ブロック４７は近接する二つの前記突出ブロック２０の間に伸びた後、前記突出ブロック２０は前記妨害ブロック４７を押して回転させ、この時、前記シャッター１７の下がりは制限されないのである。
【００１７】
好ましくは、前記シャッター１７の前端にはハンドル１５が固定的に連結され、前記シャッター１７の中には下方に開口した内部チャンバ３０が設置され、前記内部チャンバ３０の後側内壁にはシリンダー３２が回転できるように連結され、前記シリンダー３２の周面にはフック３１が固定的に連結され、前記フック３１の中には右方に開口したロック溝４８が設置され、前記内部チャンバ３０の前側内壁の中には前方に開口した錠孔１６が連通するように設置され、前記通路１３の下側内壁の中には凹溝１２が連通するように設置され、前記凹溝１２の前後内壁の間には固定棒３３が固定的に連結され、前記シャッター１７を下ろした後、鍵で前記シリンダー３２を回し、それにより、前記フック３１の回転を連動させ、前記固定棒３３は前記ロック溝４８の中に入り、且つ前記フック３１を引っ掛けて固定し、前記シャッター１７が自動的に巻き上がることを防げる。
【００１８】
使用時に、シャッター１７が閉まり状態にある時に、回転トーションバネ４４は圧縮状態にあり、この時、揺動棒４１と接触ブロック２６とが当接しており、ウォーム２８とウォームホイール３５との伝動は単方向であるため、この時、揺動棒４１は接触ブロック２６を押して回転させることができないのであり、固定棒３３はロック溝４８の中に位置し、且つフック３１を引っ掛けて固定し、この時、ハンドル１５を下に押し、同時に鍵は錠孔１６を貫いてシリンダー３２に連結され、鍵を回すことでシリンダー３２の回転を連動させ、そしてフック３１は回転連動され、固定棒３３をロック溝４８から離脱させ、ハンドル１５を放し、巻き付けトーションバネ２１の弾力によって巻き棒１９は回転連動され、それにより、シャッター１７は巻き上がって収納され、この時、シャッター１７は突出ブロック２０を上にスライド連動させ、同時に巻き棒１９は長軸１８を回転連動させ、それにより、ウォーム２８は回転連動され、さらにウォームホイール３５は回転連動され、さらに縦軸２４は回転連動され、さらに回転盤２５は回転連動され、それにより、接触ブロック２６は連動され、接触ブロック２６と揺動棒４１との接触を解除し、この時、回転トーションバネ４４の弾力によって回転子４２は回転連動され、さらに連結軸４３は回転連動され、さらに転動盤３７は回転連動され、さらにスライドブロック３８はスライド連動され、さらに妨害ブロック４７はスライド連動され、この時、上側の妨害ブロック４７は二つの突出ブロック２０の間には伸びてシャッター１７の巻き上がりを止め、下側の妨害ブロック４７が突出ブロックから離脱し、同時に回転子４２は回転トーションバネ４４の弾力によって引き続き回転し、それにより、揺動棒４１は回転連動され、同時に上側の妨害ブロック４７を連動させて突出ブロックから離脱させ、離脱する時に、妨害ブロック４７はシャッター１７の巻き上がりを止め続け、揺動棒４１が再び接触ブロック２６と当接する時、上下両側の妨害ブロック４７と突出ブロック２０とは離脱状態にあり、この時、シャッター１７は巻き上がり続け、それにより、揺動棒４１と接触ブロック２６とを再び離脱させ、この時、下側の妨害ブロック４７は再び二つの突出ブロック２０の間に伸びてシャッター１７の巻き上がりを止め、回転トーションバネ４４と巻き付けトーションバネ２１との弾力によって妨害ブロック４７はシャッター１７が完全に収納されるまで自動的に妨害動作を繰り返し、シャッター１７を下ろそうとする時に、ハンドル１５を下へ引張り、それにより、シャッター１７の展開を連動させ、この時、連結溝４５は下方に開口したため、突出ブロック２０と妨害ブロック４７とが接触する時に、突出ブロック２０は妨害ブロック４７を押して回転させ、この時、妨害ブロック４７はシャッター１７の下がりを止めないのであり、同時に回転盤２５は逆方向に回転し、それにより、接触ブロック２６は連動されて揺動棒４１を逆方向に押し動かし、それにより、回転トーションバネ４４は圧縮される。
【００１９】
本発明のメリットは：本発明はシンプルな構成と簡単な操作方法を有し、自動的にシャッターが巻き上がるときの速度を制限でき、人力で押さえる必要がなく、安全を保証でき、同時にシャッターが下がる時に、下がり速度に響かず、素早く通路を閉鎖でき、便利である。
【００２０】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020183688.tif 000003
【図２】
2020183688.tif 000004
【図３】
2020183688.tif 000005
【図４】
2020183688.tif 000006
【図５】
2020183688.tif 000007
【図６】
2020183688.tif 000008
【図７】
2020183688.tif 000009
【図８】
2020183688.tif 000010
【手続補正書】
【提出日】令和1年8月27日(2019.8.27)
【手続補正１】
【補正対象書類名】特許請求の範囲
【補正対象項目名】全文
【補正方法】変更
【補正の内容】
【特許請求の範囲】
【請求項１】
正面視で、壁体を含み、前記壁体の中には前後に貫通した通路が設置され、前記通路の左右両側の内壁の中には保険装置が設置され、前記保険装置は貫通溝を含み、前記貫通溝は前記通路の左右両側の内壁の中に対称的に設置され、前記貫通溝のうち対称中心に近接した側の内壁には固定ブロックが固定的に連結され、前記固定ブロックの中には対称中心に背向けて開口した回転チャンバが設置され、前記回転チャンバの上下内壁の間には連結軸が回転するように連結され、前記回転チャンバの中には回転子が回転可能に設置され、前記回転子は前記連結軸に固定的に連結され、前記回転子の周面には環状に配置された四本の揺動棒が固定的に連結され、前記貫通溝のうち対称中心から離れた側の内壁の中には連通チャンバが連通するように設置され、前記連通チャンバの中には回転盤が回転可能に設置され、前記回転盤の上端には環状に配置された四つの接触ブロックが固定的に連結され、前記揺動棒は前記連通チャンバの中に回転でき、且つ前記接触ブロックと当接でき、前記回転盤の中には縦軸が固定的に連結され、前記連通チャンバの上側内壁の中には伝動チャンバが設置され、前記伝動チャンバの中にはウォームホイールが回転可能に設置され、前記縦軸の上端は前記伝動チャンバの中に伸びており、且つ前記ウォームホイールに固定的に連結され、前記ウォームホイールの前側にはウォームが回転可能に設置され、前記ウォームホイールと前記ウォームとは噛み合うように連結され、左右両側の前記ウォームの間には長軸が固定的に連結され、前記貫通溝の上下両側の内壁の中にはヒンジ連結チャンバが対称的に、且つ連通するように設置され、前記ヒンジ連結チャンバは前記通路に連通しており、前記連結軸の上下両端はそれぞれ上下両側の前記ヒンジ連結チャンバの中に入り、且つ前記連結軸の上下両端には転動盤が固定的に連結され、上下両側の前記転動盤のうち対称中心から離れた端の非回転中心のところにはスライドブロックがヒンジで連結され、前記スライドブロックは前記ヒンジ連結チャンバの中にスライドでき、前記スライドブロックの中には下方に開口した連結溝が設置され、前記連結溝の開口は前記通路に向いており、前記連結溝の前後内壁の間には復位回転軸が回転できるように連結され、前記復位回転軸の周面には妨害ブロックが固定的に連結されており、
前記通路の中には前記長軸の周面に固定的に連結された巻き棒が回転可能に設置され、前記巻き棒の左右両端と前記通路の左右両側の内壁との間には巻き付けトーションバネが固定的に連結され、前記巻き付けトーションバネの弾力によって前記巻き棒は回転連動され、前記巻き棒にはシャッターが巻き付いており、前記シャッターの左右両端にはそれぞれ突出ブロックが一列固定的に連結され、前記通路の左右両側の内壁にはそれぞれガイド板が二つ固定的に連結され、前後二つの前記ガイド板の間にはガイド溝が形成されており、
前記回転子の下端と前記回転チャンバの下側内壁との間には回転トーションバネが固定的に連結されており、
前記妨害ブロックの前後両端と前記連結溝の前後両側の内壁との間には復位トーションバネが固定的に連結され、前記妨害ブロックの上端は前記連結溝の上側端面に当接していることを特徴とするシャッター用保険ロック。
【請求項２】
前記シャッターの前端にはハンドルが固定的に連結され、前記シャッターの中には下方に開口した内部チャンバが設置され、前記内部チャンバの後側内壁にはシリンダーが回転できるように連結され、前記シリンダーの周面にはフックが固定的に連結され、前記フックの中には右方に開口したロック溝が設置され、前記内部チャンバの前側内壁の中には前方に開口した錠孔が連通するように設置され、前記通路の下側内壁の中には凹溝が連通するように設置され、前記凹溝の前後内壁の間には固定棒が固定的に連結されていることを特徴とする請求項１に記載のシャッター用保険ロック。